(57)【特許請求の範囲】
【請求項１】
複数の支柱と、支柱の上部に架設した笠木と、パネルと、パネルの下縁部を支持するパネル下枠と、パネルの上縁部を支持するパネル上枠とを備え、パネル下枠は支柱の見付け面側に持ち出し固定してあり、パネル上枠は、笠木に対して屋外側にスライド嵌合すると共に、パネル上枠の嵌合部の屋内側に打ち込んだネジの軸部の側面に当接することで嵌合部の屋内側への移動を規制され、笠木の見付け面に固定してあることを特徴とする手摺。
【請求項２】
パネルの側縁部を支持するパネル竪枠を備え、支柱は、見付け面に係合溝を長手方向に沿って有し、パネル竪枠は、係合部を長手方向に沿って有し、パネル竪枠の係合部を支柱の係合溝に係合していることを特徴とする請求項１記載の手摺。
【発明の詳細な説明】
【技術分野】
【０００１】
本発明は、集合住宅のベランダ等に設置される手摺に関するものである。
【背景技術】
【０００２】
マンションのベランダ等に設置される手摺の一形態として、ガラス等のパネルを枠で囲んだパネル体を支柱の室外側に持ち出した状態で固定したものがある。特許文献１記載の手摺は、支柱頭部にガイドプレートを取付け、ガイドプレート先端に取付けたガスケット枠とガイドプレート上に取付けた笠木受けとでパネルの上縁部を挟持し、その上に被せるようにガスケット枠から支柱の上方にまたがって笠木を取付けている。
上記従来の手摺は、ガスケット枠と笠木受けをガイドプレートにそれぞれ取付け、その上からさらに笠木を取付けなければならないため、施工が煩雑でコストも大きい。
また近年の手摺では、パネル枠や笠木の見付け寸法を極力細くしたシャープな意匠が好まれる傾向にあるが、上記従来の手摺は、パネル上縁部をガスケット枠と笠木受けとで挟持した上で、これを被うように笠木を設置しているため、笠木部分の見付け寸法を細くできなかった。
【先行技術文献】
【特許文献】
【０００３】
【特許文献１】特開２００６−３７５８９号公報
【発明の概要】
【発明が解決しようとする課題】
【０００４】
本発明は以上に述べた実情に鑑み、施工性に優れ、尚且つデザイン性も良好な手摺の提供を目的とする。
【課題を解決するための手段】
【０００５】
上記の課題を達成するために請求項１記載の発明による手摺は、複数の支柱と、支柱の上部に架設した笠木と、パネルと、パネルの下縁部を支持するパネル下枠と、パネルの上縁部を支持するパネル上枠とを備え、パネル下枠は支柱の見付け面側に持ち出し固定してあり、パネル上枠は、笠木に対して屋外側にスライド嵌合すると共に、パネル上枠の嵌合部の屋内側に打ち込んだネジの軸部の側面に当接することで嵌合部の屋内側への移動を規制され、笠木の見付け面に固定してあることを特徴とする。
【０００６】
請求項２記載の発明による手摺は、請求項１記載の発明の構成に加え、パネルの側縁部を支持するパネル竪枠を備え、支柱は、見付け面に係合溝を長手方向に沿って有し、パネル竪枠は、係合部を長手方向に沿って有し、パネル竪枠の係合部を支柱の係合溝に係合していることを特徴とする。
【発明の効果】
【０００７】
請求項１記載の発明による手摺は、パネル上枠を笠木の見付け面に嵌合固定することで笠木部分の施工が簡素化され、施工性が大きく向上すると共にコストを削減できる。また、笠木にパネル上縁部の支持部分を呑み込ませる場合と比較して、笠木部分の見付け寸法を細くすることができる。パネル上枠は、笠木に対して屋外側にスライド嵌合すると共に、パネル上枠の嵌合部の屋内側に打ち込んだネジの軸部の側面に当接することで嵌合部の屋内側への移動を規制され、笠木の見付け面に固定してあることで、強風を受けたときでもパネル上枠が屋内側にスライドして嵌合部が外れることがない。
【０００８】
さらに請求項２記載の発明による手摺は、請求項１に記載の発明の効果に加え、パネルの側縁部がパネル竪枠に支持されると共に、パネル竪枠に長手方向に設けた係合部を支柱の見付け面に長手方向に設けた係合溝に係合することで、パネル竪枠を全長にわたって支柱に簡単に固定することができ、施工性をさらに向上できると共に手摺の耐風強度を向上できる。
【図面の簡単な説明】
【０００９】
【図１】図４のＡ−Ａ断面図である。
【図２】図４のＢ−Ｂ断面図である。
【図３】図４の手摺の支柱の周辺を拡大して示す室外側正面図である。
【図４】本発明の手摺の一実施形態を示す室外側正面図である。
【図５】同手摺の分解斜視図である。
【図６】パネル上枠を笠木の見付け面に取付ける手順を示す縦断面図である。
【図７】支柱部分の他の実施形態を示す横断面図である。
【図８】本発明の手摺の他の実施形態を示す室外側正面図である。
【図９】図８のＣ−Ｃ断面図である。
【発明を実施するための形態】
【００１０】
以下、本発明の実施の形態を図面に基づいて説明する。図１〜５は、本発明の手摺の一実施形態を示している。本手摺は、マンション等集合住宅のベランダに設置される落下防止用の手摺で、図１，４に示すように、ベランダの屋外側端部に床面から立ち上げたパラペット１１に複数本の支柱１，１，…が左右方向に間隔をおいて立設してあり、支柱１，１，…の上端部に笠木２が架設してあり、隣接する支柱１，１間に合わせガラスを用いてなるガラスパネル３が、四辺をパネル上枠５、パネル下枠４及びパネル竪枠６によりそれぞれ支持し、支柱１の屋外側に持ち出して設置してある。支柱１、笠木２、各パネル枠４，５，６は、それぞれアルミニウム合金の押出形材で形成されている。
【００１１】
支柱１は、図２に示すように、Ｈ形断面のアルミニウム合金の押出形材を使用している。支柱１の屋外側の見付け面には、奥側が幅広になった断面略Ｔ字形の係合溝７，７が長手方向に沿って左右２列形成してある。支柱１の屋外側の見付け面の下部には、図１に示すように、Ｌ形断面のブラケット１２がネジ１３で取付けてある。また支柱１の上端部には、笠木連結プレート１４がボルト・ナット１５で取付けてある。
【００１２】
笠木２は、図１に示すように、下面側に形成された凹部１６内に支柱１上端部を呑み込ませ、下方からのネジ１７で笠木連結プレート１４に固定してあり、屋内側に設けた垂下壁１８により笠木連結プレート１４が隠れている。笠木２の屋外側の見付け面の上下２箇所には、パネル上枠５を嵌合取付けするための被嵌合部１９ａ，１９ｂが、屋内側に向けて折り返すような形で設けてある。
パネル上枠５は、ガラスパネル３の上縁部を支持すると共に、笠木２の屋外側の見付け面に嵌合取付けされ、笠木２と一体となって手摺の笠木部分を構成する。パネル上枠５は、下向きに開口した断面略コ字形のパネル保持溝２０ａを有し、パネル保持溝２０ａ内の屋外側にはビード２１が設けられ、ガラスパネル３の屋内側面との隙間にはバックアップ材２２とシール材２３が装填してある。パネル上枠５の屋内側の上下２箇所には、屋外側に向けた鉤状に曲がった嵌合部２４ａ，２４ｂを有しており、パネル上枠５は、図６（ａ）に示すように、笠木２の上方から嵌合部２４ａ，２４ｂを笠木２の被嵌合部１９ａ，１９ｂに引っ掛けるようにして屋外側にスライドさせ、笠木２の屋外側の見付け面に嵌合取付けされる。このようにパネル上枠５を笠木２に嵌合した後、図６（ｂ）と図１に示すように、パネル上枠５の下側の嵌合部２４ｂの屋内側に挿入するように笠木２に下方より止めネジ２５をねじ込み、強風を受けた時でもパネル上枠５が屋内側にスライドして嵌合部２４ａ，２４ｂが外れることがないように固定している。パネル上枠５の見付け寸法Ｈ１は、２０ｍｍとなっている。
【００１３】
パネル竪枠６は、図２に示すように、屋内側に配置された略四角形の中空断面の竪枠補助材６ａと、その屋外側に配置された略Ｔ字型断面の竪枠本体６ｂの２部材で構成されており、この２部材６ａ，６ｂによってパネル保持溝２０ｂが形成されている。竪枠補助材６ａは、屋内側面に断面Ｌ形の係合部８，８が長手方向に沿って左右２列形成してあり、この係合部８，８を支柱１の見付け面に形成した係合溝７，７に係合させ、屋外側からのネジ２６で支柱１に固定している。また竪枠補助材６ａの屋外側面には、長手方向に沿って鉤状の保持片２７，２７が対向して設けてある。なお、竪枠補助材６ａを支柱１の見付け面に係合取付けする際には、係合部８，８を支柱１の係合溝７，７に上方からスライド係合してもよいが、屋外側から横にずらすようにして係合させることもできる。
竪枠本体６ｂは、屋内側の端部に帯状の取付板２８を有しており、この取付板２８を竪枠補助材６ａの保持片２７，２７の内側に上方からスライド係合して取付けられる。竪枠本体６ｂの、屋外側に左右方向に張り出した見付け片２９の裏側には、ガラスパネル３の屋外側面に当接するビード２１が長手方向に沿って設けてあり、ガラスパネル３の屋内側面と竪枠補助材６ａの屋外側面との隙間にバックアップ材２２とシール材２３を装填し、ガラスパネル３の側縁部を固定している。パネル竪枠６の見付け寸法Ｗは、３０ｍｍとなっている。図２中の符号３０は、パネル下枠４とブラケット１２とに貫通して設けた水抜き孔である。
【００１４】
パネル下枠４は、図１に示すように、下面に形成された溝３１にブラケット１２の横壁１２ａの先端部に設けた突条３２を係止し、さらに上面に屋内側に突出して設けた断面Ｌ形の係止片３３をブラケット１２の縦壁１２ｂの上部に係止させてブラケット１２の横壁１２ａ上に支持され、ブラケット１２の縦壁１２ｂに屋内側からのネジ３４で固定してある。パネル下枠４の屋外側には、上向きに開口した断面略コ字形のパネル保持溝２０ｃを有し、パネル保持溝２０ｃの底面にはセッティングブロック３５が配置され、パネル保持溝２０ｃ内の屋外側にはビード２１が設けられ、ガラスパネル３の屋内側面との隙間にはバックアップ材２２とシール材２３が装填してある。パネル下枠４の見付け寸法Ｈ２は、パネル上枠５と同じく２０ｍｍとしてある。
【００１５】
次に、本手摺の施工手順を説明する。まず、各支柱１をパラペット１１に下部を埋め込んで固定する。次に、各支柱１の下部の屋外側面にブラケット１２を、支柱１の上端部に笠木連結プレート１４をそれぞれ取付ける。次に、各支柱１のブラケット１２に支持してパネル下枠４を架設する。次に、竪枠補助材６ａを係合部８，８を上方から支柱１見付け面の係合溝７，７にスライドして係合させ、屋外側からのネジ２６で支柱１に固定する。次に竪枠本体６ｂを、屋内側の取付板２８を竪枠補助材６ａの保持片２７，２７の内側に上方から差し入れるようにして係合取付けする。その後、パネル竪枠６及びパネル下枠４のパネル保持溝２０ｂ，２０ｃに縁部を差し入れるようにしてガラスパネル３を上方から配置する。その後、図６（ａ）に示すように、パネル上枠５を嵌合部２４ａ，２４ｂを笠木２の見付け面の被嵌合部１９ａ，１９ｂに嵌合させた上で、図６（ｂ）に示すように笠木２に下方から止めネジ２５を打ち込んでパネル上枠５を固定する。その後、パネル上枠５、パネル竪枠６及びパネル下枠４のパネル保持溝２０ａ，２０ｂ，２０ｃ内に屋内側からバックアップ材２２とシール材２３を装填し、ガラスパネル３の四周縁部を固定する。
【００１６】
以上に述べたように本手摺は、笠木２を支柱１上端部に架設した上で、パネル上枠５を笠木２の屋外側の見付け面に嵌合固定すればよいため、笠木部分の施工が簡素化され、施工性が大きく向上すると共に、部品数も減るためコストを削減できる。また、笠木２にガラスパネル３の上縁部の支持部分を呑み込ませないことで、笠木部分の見付け寸法Ｈ１をこれまでにない細さ（２０ｍｍ）にすることが可能となり、パネル下枠４もパネル上枠５と同じ見付け寸法Ｈ２（２０ｍｍ）としてあり、パネル竪枠６の見付け寸法Ｗも極力細くしたので、パネル枠の見付けの細いシャープな外観の手摺になっている。
しかも本手摺は、ガラスパネル３の側縁部がパネル竪枠６に支持されると共に、パネル竪枠６に長手方向に設けた係合部８，８を支柱１の見付け面に長手方向に設けた係合溝７，７に係合することで、パネル竪枠６を支柱１に簡単に且つ全長にわたって確実に固定することができ、これにより施工性を向上できると共に、強風を受けてもパネル竪枠６が変形したりばたついたりすることがなく、耐風強度が優れている。
支柱１が中空断面であった場合には、支柱１内部に雨水が浸入し、パラペット１１内に埋め込んだ支柱下部が腐食したりして強度が低下するおそれがあるが、本手摺はＨ型断面の支柱１を採用したことで、支柱１内部及びパラペット１１内部に雨水が浸入しないためそのような問題が発生せず、耐候性、耐久性が優れている。
【００１７】
図７は、支柱１を略正方形の中空断面にした場合の実施形態を示している。支柱１は、先に述べたＨ型断面の支柱１と同様に、屋外側の見付面に係合溝７，７が長手方向に沿って２列形成してあり、係合溝７，７に係合してパネル竪枠６を取付けている。支柱１内部には、中間部から下端にかけて中空断面の補強材３６が設置してある。
【００１８】
図８，９は、本発明の手摺の他の実施形態であって、ガラスパネル３の側縁部を支持するパネル竪枠６を省いた実施形態を示している。ガラスパネル３は、上縁部と下縁部の２辺のみが支持され、隣接するガラスパネル３，３同士の隙間にはシール材２３が充填してある。
本実施形態の手摺は、パネル竪枠６が無いことでよりすっきりした外観意匠になる。
【００１９】
本発明は以上に述べた実施形態に限定されない。笠木２や支柱１及び各パネル枠４，５，６の断面形状は適宜変更することができ、それに伴ってパネル上枠５の嵌合部２４ａ，２４ｂやパネル竪枠６の係合部８等の形状も適宜変更できる。パネル３は、樹脂パネルであってもよいし、金属性のパンチングパネルや格子状のパネルであってもよい。本発明は、支柱１の見付け面側にパネル３を持ち出して設置する手摺（フェンスを含む）に広く適用することができ、ベランダ用の手摺に限らず、例えばビルの屋上や歩道橋等の手摺としても利用できる。
【符号の説明】
【００２０】
１  支柱
２  笠木
３  ガラスパネル（パネル）
４  パネル下枠
５  パネル上枠
６  パネル竪枠
７  係合溝
８  係合部
１９ａ，１９ｂ  被嵌合部
２４ａ，２４ｂ  嵌合部
２５  止めネジ
Ｈ１  パネル上枠の見付け寸法
Ｈ２  パネル下枠の見付け寸法
Ｗ  パネル竪枠の見付け寸法
【図１】
0005500946.tif 000002
【図２】
0005500946.tif 000003
【図３】
0005500946.tif 000004
【図４】
0005500946.tif 000005
【図５】
0005500946.tif 000006
【図６】
0005500946.tif 000007
【図７】
0005500946.tif 000008
【図８】
0005500946.tif 000009
【図９】
0005500946.tif 000010